(57)【要約】【課題】ＰＳＵの待機電源が機能していない場合に動作可能なサーバシステムを提供する。【解決手段】本発明は、システムの電源ユニット（ＰＳＵ）の待機電源が機能していない場合に、基本電力をシステムに提供するシステム及び方法を提供する。システムは、複数のアクティブコンポーネントと、１つ以上のＰＳＵと、電源スイッチと、を備える。電源スイッチは、ＰＳＵの待機電源出力及び主電源出力に接続されている。電源スイッチは、ＰＳＵのステータス情報を受信し、ＰＳＵの主電源が所定範囲内にあるか否かを判別する。ＰＳＵの待機電源が機能しておらず、ＰＳＵの主電源が所定範囲内にある場合、電源スイッチは、入力電源をＰＳＵの待機電源から主電源に切り替え、システムが使用する基本電力を出力する。【選択図】図２Ａ
2018206342.tif 000002
【特許請求の範囲】
【請求項１】
サーバシステムの電源ユニット（ＰＳＵ）の待機電源が機能していない場合に、前記サーバシステムに基本電力を供給するコンピュータ実施方法であって、
前記サーバシステムの前記ＰＳＵの待機電源が正常ではないと判別する工程と、
前記ＰＳＵの主電源が所定範囲内にあると判別する工程と、
前記サーバシステムの電源スイッチの入力電源を前記ＰＳＵの待機電源から前記ＰＳＵの主電源に切り替えることによって、前記基本電力を前記サーバシステムに供給する工程と、を含む、
方法。
【請求項２】
前記待機電源が正常ではないと判別する工程は、
前記ＰＳＵのステータス情報を受信する工程と、
少なくとも前記ＰＳＵのステータス情報に基づいて、前記待機電源が正常ではないと判別する工程と、を含む、
請求項１の方法。
【請求項３】
前記ＰＳＵのステータス情報を受信する工程は、前記ＰＳＵのマイクロコントローラ又は前記サーバシステムの管理装置から前記ステータス情報を受信する工程を含む、
請求項２の方法。
【請求項４】
前記ＰＳＵの待機電源が正常である場合に、前記待機電源を前記電源スイッチの入力電源として用いて、前記基本電力を前記サーバシステムに供給する工程と、
パワーオンコマンドを受信する工程と、
前記主電源を用いるように前記サーバシステムを切り替えて、起動する工程と、を含む、
請求項１の方法。
【請求項５】
前記サーバシステムの重要性の低いコンポーネントを判別する工程と、
前記ＰＳＵの主電源が機能していないと判別した場合に、コマンドを前記サーバシステムの管理装置に送信して、前記重要性の低いコンポーネントのパワーダウンを開始する工程と、を含む、
請求項１の方法。
【請求項６】
プロセッサと、
電源スイッチと、
複数の命令を記憶するコンピュータ可読記憶媒体と、を備えるシステムであって、
前記命令は、前記プロセッサによって実行されると、
前記システムのＰＳＵの待機電源が正常ではないと判別する工程と、
前記ＰＳＵの主電源が所定範囲内にあると判別する工程と、
前記システムの電源スイッチの入力電源を前記ＰＳＵの待機電源から前記ＰＳＵの主電源に切り替えることによって、基本電力を前記システムに供給する工程と、
を含む動作を前記システムに実行させる、
システム。
【請求項７】
前記待機電源が正常ではないと判別する工程は、
前記ＰＳＵのステータス情報を受信する工程と、
少なくとも前記ＰＳＵのステータス情報に基づいて、前記待機電源が正常ではないと判別する工程と、を含む、
請求項６のシステム。
【請求項８】
前記ＰＳＵのステータス情報を受信する操作は、前記ＰＳＵのマイクロコントローラ又は前記システムの管理装置から前記ステータス情報を受信する工程を含む、
請求項７のシステム。
【請求項９】
前記命令は、前記プロセッサによって実行されると、
前記ＰＳＵの待機電源が正常である場合に、前記待機電源を前記電源スイッチの入力電源として用いて、前記基本電力を前記システムに供給する工程と、
パワーオンコマンドを受信する工程と、
前記主電源を用いるように前記システムを切り替えて、起動する工程と、
を含む動作を前記システムに実行させる、
請求項６のシステム。
【請求項１０】
複数の命令を含むコンピュータ可読記憶媒体であって、前記命令は、システムの少なくとも１つのプロセッサによって実行されると、
前記システムの電源ユニット（ＰＳＵ）の待機電源が正常ではないと判別する工程と、
前記ＰＳＵの主電源が所定範囲内にあると判別する工程と、
前記システムの電源スイッチの入力電源を前記ＰＳＵの待機電源から前記ＰＳＵの主電源に切り替えることによって、基本電力を前記システムに供給する工程と、
を含む動作を前記システムに実行させる、
コンピュータ可読記憶媒体。
【発明の詳細な説明】
【技術分野】
【０００１】
本発明は、概して、コンピューティングシステムのＰＳＵ管理に関する。
【背景技術】
【０００２】
現在のサーバファーム又はデータセンタは、通常、多数のサーバを利用して、様々なアプリケーションサービスに必要な処理を実行する。各サーバは、各種操作を処理し、これらの操作を維持するために一定レベルの電力消費を必要とする。これらの操作のいくつかは、「ミッションクリティカル（mission critical）」操作であり、これらの操作に関連するユーザに対する重大なセキュリティ侵害や収益損失を招く中断等がある。
【０００３】
中断の１つのタイプは、サーバシステムの電源ユニット（ＰＳＵ）での障害や故障に起因し得る。例えば、ＰＳＵの待機電源（standby power）で障害や故障が発生すると、サーバシステムが突然シャットダウンされ、サーバシステムのデータが失われたり、サーバシステムが損壊する可能性がある。
【発明の概要】
【発明が解決しようとする課題】
【０００４】
本発明の各種実施形態によるシステム及び方法は、サーバシステムの電源ユニット（ＰＳＵ）の待機電源が機能しない場合に、基本電力（basic power）をサーバシステムに供給することによって、上述した問題の解決手段を提供する。本発明は、サーバシステムのＰＳＵの主電源が仕様内にある限り、サーバシステムを動作可能にする。このシステムは、複数のアクティブコンポーネントと、１つ以上のＰＳＵと、電源スイッチと、を備える。電源スイッチは、１つ以上のＰＳＵの待機電源出力及び主電源出力に接続されている。電源スイッチは、１つ以上のＰＳＵのステータス情報を受信し、ＰＳＵの主電源が所定範囲内にあるか否かを判別することができる。ＰＳＵの待機電源が機能せず、ＰＳＵの主電源が所定範囲内にある場合、電源スイッチは、入力電源を、待機電源からＰＳＵの主電源に切り替え、システムが使用する基本電力を出力することができる。
【課題を解決するための手段】
【０００５】
いくつかの実施形態では、電源スイッチを、サーバシステムのシステムボードに統合することができる。いくつかの他の実施形態では、電源スイッチを、１つ以上のＰＳＵのマイクロコントローラ（ＭＣＵ）と一体化することができる。電源スイッチは、少なくともＰＳＵの状態に基づいて、電源スイッチの入力電源を、ＰＳＵの待機電源とＰＳＵの主電源との間で切り替えることができる。
【０００６】
本発明の一実施形態によれば、通常動作中に基本電力をサーバシステムに供給するコンピュータ実施方法は、サーバシステムのＰＳＵのステータス情報を受信する工程と、サーバシステムのＰＳＵの待機電源が正常ではないと判別する工程と、ＰＳＵの主電源が所定範囲内にあると判別する工程と、電源スイッチの入力電源を、待機電源から主電源に切り替えることによって基本電力を供給する工程と、を有する。
【０００７】
本発明の別の実施形態によれば、起動前に基本電力をサーバシステムに供給するコンピュータ実施方法は、サーバシステムのＰＳＵのステータス情報を受信する工程と、サーバシステムのＰＳＵの待機電源が正常ではないと判別する工程と、ＰＳＵの主電源が所定範囲内にあると判別する工程と、電源スイッチの入力電源を、待機電源から主電源に切り替えることによって基本電力を供給する工程と、パワーオンコマンドを受信する工程と、主電源を用いるようにサーバシステムを切り替えて、起動する工程と、を有する。
【０００８】
本発明の別の実施形態によれば、命令を記憶する非一時的な（non-transitory）コンピュータ可読記憶媒体が提供される。命令は、プロセッサによって実行されると、サーバシステムのＰＳＵのステータス情報を受信する工程と、サーバシステムのＰＳＵの待機電源が正常ではないと判別する工程と、ＰＳＵの主電源が所定範囲内にあると判別する工程と、電源スイッチの入力電源を、待機電源から主電源に切り替えることによって基本電力を供給する工程と、を含む動作をプロセッサに実行させる。
【０００９】
いくつかの構成によれば、ラックシステム内のラック管理コントローラ（ＲＭＣ）又はシャーシ管理コントローラ（ＣＭＣ）は、システムの１つ以上のＰＳＵの待機電源及び主電源の状態を監視することができる。ノードの主電源が機能していないと判別したことに応じて、ＲＭＣ又はＣＭＣは、破損又はデータ損失を最小限に抑えるためにノードが適切な処理を取ることができるように、コマンドをノードに送信することができる。例えば、ノードは、重要性の低い（non-critical）コンポーネントをシャットダウンしてノードの電力消費を節約することができ、重要な（critical）コンポーネントがデータをバックアップしたり、長いシャットダウン時間を有することができる。
【００１０】
いくつかの実施形態において、電源スイッチは、サーバシステムのコントローラによって制御され得る。いくつかの実施形態では、コントローラは、ベースボード管理コントローラ（ＢＭＣ）とすることができる。サーバシステム上のストレージデバイスは、サーバシステム上のコントローラ及び中央処理装置（ＣＰＵ）によってアクセスされるように構成することができる。ストレージデバイスは、ある期間のプログラム命令又はデータを記憶するように構成された任意の記憶媒体とすることができる。ストレージデバイスは、サービスコントローラとＣＰＵとの間の共有メモリとすることができる。いくつかの実施形態によれば、ストレージデバイスは、フラッシュドライブ、ランダムアクセスメモリ（ＲＡＭ）、不揮発性ランダムアクセスメモリ（ＮＶＲＡＭ）、リードオンリメモリ（ＲＯＭ）、電気的に消去可能なプログラマブルＲＯＭ（ＥＥＰＲＯＭ）又はメールボックスレジスタとすることができる。
【００１１】
本発明のさらなる特徴及び利点は、以下の説明に記載され、本明細書の記載から部分的に明らかにされ、又は、本明細書に開示された原理を実施することによって習得することができる。本発明の特徴及び利点は、添付の特許請求の範囲で特に指摘された装置及び組み合わせによって実現及び取得することができる。本発明のこれら及び他の特徴は、以下の説明及び添付の特許請求の範囲から十分に明らかになり、又は、本明細書に記載された原理の実施によって知ることができる。
【発明の効果】
【００１２】
本発明のシステム及び方法によれば、サーバシステムの電源ユニット（ＰＳＵ）の待機電源が機能していない場合であっても、基本電力をサーバシステムに提供することによって、上述した問題を改善することができる。
【００１３】
本発明の上述した利点及び特徴、並びに、他の利点及び特徴を得ることができる方法を説明するために、上で簡単に説明した原理は、添付の図面に示された実施形態を参照してより具体的に説明される。これらの図面は、本発明の例示的な態様を示すものであって、本発明を限定するものではないことを理解すべきである。本発明の原理は、添付の図面の使用を通して、追加の特徴及び詳細とともに記載され説明される。
【図面の簡単な説明】
【００１４】
【図１Ａ】本発明の実施形態による、例示的なサーバシステムのブロック図である。
【図１Ｂ】本発明の実施形態による、システムの１つ以上のＰＳＵの待機電源が機能していない場合に、基本電力を例示的なシステムに供給するように構成された例示的なシステムのブロック図である。
【図２Ａ】本発明の実施形態による、システムの１つ以上のＰＳＵの待機電源が機能していない場合に、基本電力を例示的なシステムに供給する方法を示す図である。
【図２Ｂ】本発明の実施形態による、システムの１つ以上のＰＳＵの待機電源が機能していない場合に、基本電力を例示的なシステムに供給する方法を示す図である。
【図３】本発明の各種実施形態による、例示的なコンピューティングデバイスを示す図である。
【図４】本発明の各種実施形態による、例示的なシステムを示す図である。
【図５】本発明の各種実施形態による、例示的なシステムを示す図である。
【発明を実施するための形態】
【００１５】
本発明の各種実施形態は、サーバシステムの１つ以上の電源ユニット（ＰＳＵ）の待機電源が機能していない場合に、基本電力をサーバシステムに供給するシステム及び方法を提供する。システムは、複数のアクティブコンポーネントと、１つ以上のＰＳＵと、電源スイッチと、を備える。電源スイッチは、１つ以上のＰＳＵの待機電源出力及び主電源出力に接続されている。電源スイッチは、１つ以上のＰＳＵのステータス情報を受信し、ＰＳＵの主電源が所定範囲内にあるか否かを判別する。ＰＳＵの待機電源が機能しておらず、ＰＳＵの主電源が所定範囲内にある場合に、電源スイッチは、入力電源を待機電源からＰＳＵの主電源に切り替え、システムが使用する基本電力を出力する。
【００１６】
図１Ａは、本発明の実施形態による、例示的なサーバシステム１００Ａのブロック図である。この例において、サーバシステム１００Ａは、キャッシュ１０６に接続された少なくとも１つのマイクロプロセッサ又はプロセッサ１０５と、システム１００Ａをネットワーク１０１に接続するスイッチ１０７と、１つ以上の冷却コンポーネント１１５と、メインメモリ（ＭＥＭ）１１４と、２つ以上の電源ユニット（ＰＳＵ）１０３と、を備える。ＰＳＵ１０３は、電源１０２からＡＣ電力を受け取り、電力をサーバシステム１００Ａの各種コンポーネントに供給する。各種コンポーネントは、例えば、プロセッサ１０５、キャッシュ１０６、ノースブリッジ（ＮＢ）ロジック１１０、ＰＣＩｅスロット１６０、サウスブリッジ（ＳＢ）ロジック１１２、ストレージデバイス１１３、ＩＳＡスロット１５０、ＰＣＩスロット１７０、管理装置１０４及びスイッチ１０７である。サーバシステム１００Ａは、更に、１つ以上のＰＳＵ１０３に接続された電源スイッチ１０８を備える。起動時に、サーバシステム１００Ａは、メモリ、コンピュータストレージデバイス又は外部ストレージデバイスからソフトウェアアプリケーションをロードして、各種動作を実行するように構成されている。ストレージデバイス１１３は論理ブロックに構成されており、論理ブロックは、サーバシステム１００Ａのオペレーティングシステム及びアプリケーションに利用可能であり、サーバシステム１００Ａがオフになってもサーバデータを保持するように構成されている。
【００１７】
この例において、電源スイッチ１０８は、１つ以上のＰＳＵ１０３の待機電源出力及び主電源出力に接続されている。また、電源スイッチ１０８は、１つ以上のＰＳＵ１０３への直接接続又は管理装置１０４からの直接接続を介して、１つ以上のＰＳＵ１０３のステータス情報を受信することができる。電源スイッチ１０８は、１つ以上のＰＳＵ１０３のステータス情報に基づいて、ＰＳＵの主電源が所定範囲内にあるか否かを判別する。
【００１８】
主電源が所定範囲内にある間にＰＳＵ１０３の待機電源が機能していない場合には、電源スイッチ１０８は、入力電源をＰＳＵの待機電源からＰＳＵの主電源に切り替え、サーバシステム１００Ａの基本電力を出力することができる。基本電力は、起動前及び起動中のサーバシステム１００Ａの電力需要をサポートするのに用いることができる。
【００１９】
この例では、電源スイッチ１０８は、サーバシステム１００Ａのシステムボードに組み込まれている。いくつかの他の例では、電源スイッチ１０８は、１つ以上のＰＳＵ１０３のＭＣＵと一体化することができる。電源スイッチ１０８は、ＰＳＵ１０３のステータス情報に基づいて、ＰＳＵ１０３の待機電源とＰＳＵ１０３の主電源との間で入力電源を切り替えることができる。例えば、ＰＳＵ１０３の待機電源が正常である場合、電源スイッチ１０８は、待機電源を入力電源として使用し、起動前にサーバシステム１００Ａの基本電力を出力することができる。しかし、待機電源が機能しない場合に、ＰＳＵ１０３の主電源が所定範囲内にあると、電源スイッチ１０８は、入力電源をＰＳＵ１０３の主電源に切り替え、サーバシステム１００Ａの基本電力を出力することができる。
【００２０】
いくつかの実施形態において、電源スイッチ１０８は、ＰＳＵ１０３の動作を管理する管理装置１０４からＰＳＵ１０３のステータス情報を受信することができる。電源スイッチ１０８は、ＰＳＵ１０３のステータス情報に基づいて、ＰＳＵ１０３の待機電源と主電源との間で入力電源を切り替えて、サーバシステム１００Ａの突然のシャットダウンのリスクを最小限に抑えることができる。
【００２１】
いくつかの実施形態において、１つ以上の冷却コンポーネント１１５は、空冷コンポーネント、液冷コンポーネント、又はこれらの組み合わせであってよい。いくつかの実施形態において、１つ以上の冷却コンポーネント１１５は、サーバシステム１００Ａの前面及び／又は背面に配置された複数のファンを備える。
【００２２】
メインメモリ１１４は、ＮＢロジック１１０を介してプロセッサ１０５に接続され得る。メモリコントロールモジュール（図示省略）は、メモリ動作中に必要な制御信号をアサートすることによって、メモリ１１４の動作を制御するのに用いられる。メインメモリ１１４は、これらに限定されないが、ダイナミックランダムアクセスメモリ（ＤＲＡＭ）、ダブルデータレートＤＲＡＭ（ＤＤＲＤＲＡＭ）、スタティックＲＡＭ（ＳＲＡＭ）又は適切な他のタイプのメモリを含むことができる。
【００２３】
いくつかの実施形態において、プロセッサ１０５は、マルチコアプロセッサであってもよく、その各々は、ＮＢロジック１１０に接続されたＣＰＵバスを介して互いに接続され得る。いくつかの実装では、ＮＢロジック１１０は、プロセッサ１０５に統合することができる。また、ＮＢロジック１１０は、複数の周辺機器相互接続エクスプレス（ＰＣＩｅ）スロット１６０及びサウスブリッジ（ＳＢ）ロジック１１２（オプション）に接続することができる。複数のＰＣＩｅスロット１６０は、例えば、ＰＣＩエクスプレスｘ１、ＵＳＢ２.０、ＳＭＢｕｓ、ＳＩＭカード、別のＰＣＩｅレーン用の将来の拡張、１．５Ｖ及び３．３Ｖ電源、サーバシャーシ上の診断ＬＥＤへのワイヤ等の接続及びバスに用いることができる。
【００２４】
この実施形態において、ＮＢロジック１１０及びＳＢロジック１１２は、周辺機器相互接続（ＰＣＩ）バス１１１によって接続されている。ＰＣＩバス１１１は、ＣＰＵ１１０上の機能をサポートするが、ＣＰＵのネイティブバスとは独立した標準化フォーマットである。ＰＣＩバス１１１は、複数のＰＣＩスロット１７０（例えば、ＰＣＩスロット１７１）にさらに接続することができる。ＰＣＩバス１１１に接続される装置は、ＣＰＵバスに直接接続され、プロセッサ１０５のアドレス空間内のアドレスが割り当てられ、単一のバスクロックに同期されるように、バスコントローラ（図示省略）に現れる。ＰＣＩカードは、例えば、これらに限定されないが、ネットワークインタフェースカード（ＮＩＣｓ）、サウンドカード、モデム、ＴＶチューナカード、ディスクコントローラ、ビデオカード、スモールコンピュータシステムインタフェース（ＳＣＳＩ）アダプタ及びパーソナルコンピュータメモリカード国際協会（ＰＣＭＣＩＡ）カード等の複数のＰＣＩスロット１７０に使用することができる。
【００２５】
ＳＢロジック１１２は、拡張バスを介して、ＰＣＩバス１１１を複数の拡張カード又はスロット１５０（例えば、ＩＳＡスロット１５１）に接続することができる。拡張バスは、ＳＢロジック１１２と周辺装置との間の通信に用いられるバスであってもよく、これらに限定されないが、業界標準アーキテクチャ（ＩＳＡ）バス、ＰＣ／１０４バス、ローピンカウントバス、拡張ＩＳＡ（ＥＩＳＡ）バス、ユニバーサルシリアルバス（ＵＳＢ）、ＩＤＥ（integrated drive electronics）バス、又は、周辺装置のデータ通信に用いる他の任意の適切なバスを含む。
【００２６】
この実施形態において、ＳＢロジック１１２は、少なくとも１つのＰＳＵ１０３に接続された管理装置１０４にさらに接続されている。いくつかの実施形態において、管理装置１０４は、ベースボード管理コントローラ（ＢＭＣ）、ラック管理コントローラ（ＲＭＣ）、又は、他の任意の適切なシステムコントローラとすることができる。
【００２７】
管理装置１０４は、１つ以上のＰＳＵ１０３の動作及び／又は他の適用可能な動作を制御することができる。例えば、管理装置１０４は、１つ以上のＰＳＵ１０３の各々を独立してオンオフすることができ、ＰＳＵ１０３のステータス情報を収集することができる。いくつかの実施形態において、管理装置１０４は、ＰＳＵ１０３の待機電源が機能しない場合に電源スイッチ１０８が入力電源をＰＳＵ１０３の待機電源から主電源に実質的に同時に切り替えることができるように、ＰＳＵ１０３のステータス情報を電源スイッチ１０８にリアルタイムで送信することができる。
【００２８】
いくつかの実施形態において、管理装置１０４は、処理要求、並びに、サーバシステム１００Ａのコンポーネント及び／又は接続状態を監視することができる。例えば、管理装置１０４は、サーバシステム１００Ａのアクティブコンポーネントの状態及びアクティブコンポーネントに関連する電力消費を決定することができる。アクティブコンポーネントの状態に基づいて、管理装置１０４は、ＰＳＵ１０３の待機電源及び主電源の両方が機能していない場合に、アクティブコンポーネントのパワーダウンシーケンスを設定することができる。
【００２９】
図１Ｂは、本発明の実施形態による、例示的なシステムの１つ以上のＰＳＵの待機電源が機能していない場合に、基本電力をシステムに供給するシステム１００Ｂのブロック図である。この例において、システム１００Ｂは、ＰＳＵ１０３を備える。ＰＳＵ１０３は、管理コントロールユニット（ＭＣＵ）１０３−１と、主電源１０３−３と、待機電源１０３−２と、ＰＳＵ１０３の主電源１０３−３及び待機電源１０３−２に接続された電源スイッチ１０８と、を備える。電源スイッチ１０８は、ＰＳＵ１０３から（例えば、ＭＣＵ１０３−１から）又はシステム１００Ｂの管理装置１０４から、ステータス情報（例えば、主電源レディ）を直接受信することができる。
【００３０】
ＰＳＵ１０３の待機電源が機能していない場合に、電源スイッチ１０８は、電源スイッチの入力電源をＰＳＵ１０３の待機電源からＰＳＵ１０３の主電源に切り替えることができる。ＰＳＵ１０３の主電源が機能していない場合、電源スイッチ１０８は、システム１００Ｂの管理装置１０４に対して、システム１００Ｂの電源を切らせることができる。いくつかの構成では、管理装置１０４は、システム１００Ｂの重要性の低い（non-critical）コンポーネントをシャットダウンして、システム１００Ｂの電力消費を節約することができ、重要な（critical）コンポーネントがデータをバックアップしたり、長いシャットダウン時間を有することができる。
【００３１】
図１Ａ及び図１Ｂの例示的なシステム１００Ａ〜１００Ｂには特定のコンポーネントのみが示されているが、データを処理又は記憶すること、信号を送受信すること、又は、新鮮な空気を下流のコンポーネントに供給することができる各種電子又はコンピューティングコンポーネントを、システム１００Ａ〜１００Ｂに含めることができる。さらに、例示的なシステム１００Ａ〜１００Ｂの電子又はコンピューティングコンポーネントは、各種タイプのアプリケーションを実行するように構成することができ、及び／又は、各種タイプのオペレーティングシステムを使用することができる。これらのオペレーティングシステムは、これらに限定されないが、Ａｎｄｒｏｉｄ（登録商標）、ＢＳＤ（Berkeley Software Distribution）、ｉＰｈｏｎｅ（登録商標）  ＯＳ（ｉＯＳ）、Ｌｉｎｕｘ（登録商標）、ＯＳ  Ｘ（登録商標）、Ｕｎｉｘ（登録商標）系リアルタイムオペレーティングシステム（例えば、ＱＮＸ等）、Ｍｉｃｒｏｓｏｆｔ  Ｗｉｎｄｏｗｓ（登録商標）、Ｗｉｎｄｏｗ  Ｐｈｏｎｅ、及び、ＩＢＭ  ｚ／ＯＳ（登録商標）を含む。
【００３２】
例示的なシステム１００Ａ〜１００Ｂの所望の実装に応じて、ＴＣＰ／ＩＰ、オープン型システム相互接続（ＯＳＩ）、ファイル転送プロトコル（ＦＴＰ）、ユニバーサルプラグアンドプレイ（ＵｐｎＰ）、ネットワークファイルシステム（ＮＦＳ）、コモンインターネットファイルシステム（ＣＩＦＳ）、ＡｐｐｌｅＴａｌｋ（登録商標）等を含むがこれらに限定されない各種ネットワーク及びメッセージプロトコルが用いられてもよい。当業者なら理解できるように、図１Ａ〜図１Ｂに示されるシステム１００Ａ〜１００Ｂは、説明のために用いられる。よって、ネットワークシステムは、必要に応じて多くの変形した態様で実装可能であるが、本発明の各種実施形態によるネットワークプラットフォームの構成を提供する。
【００３３】
図１Ａ〜図１Ｂの構成において、システム１００Ａ〜１００Ｂは、特定のワイヤレスチャネルのコンピューティング範囲内の１つ以上の電子デバイスと通信するように動作可能な１つ以上のワイヤレスコンポーネントをさらに含むことができる。ワイヤレスチャネルは、例えば、ブルートゥース（登録商標）、セルラー、ＮＦＣ又はＷｉ-Ｆｉ（登録商標）チャネル等のように、装置が無線で通信できるようにするために用いられる任意の適切なチャネルであってよい。従来の技術のように、装置は、１つ以上の従来の有線通信接続を有し得ることを理解されたい。各種実施形態の範囲内で、各種他のコンポーネント及び／又はその組み合わせが可能である。
【００３４】
上記の議論は、本発明の原理及び各種実施形態を例示することを意図している。上述した開示が完全に理解されると、多くの変形及び修正が明らかになるであろう。
【００３５】
図２Ａは、本発明の実施形態による、システムの１つ以上のＰＳＵの待機電源が機能していない場合に、基本電力をシステムに供給する例示的な方法２００Ａを示す図である。例示的な方法２００Ａは、単に説明の目的で提示されており、本発明の他の方法では、類似若しくは代替の順序で又は並行して実行される、追加の、より少ない、又は代替の工程を含むことができるのを理解されたい。例示的な方法２００Ａは、工程２０２において、システムの１つ以上のＰＳＵのステータス情報を受信することから開始する。工程２０４において、システムの電源スイッチ又は管理装置は、１つ以上のＰＳＵの待機電源が正常であるか否かを判別する。いくつかの実施形態において、図１Ａ及び図１Ｂに示すように、電源スイッチを１つ以上のＰＳＵの待機電源出力に接続することができ、電源スイッチは、１つ以上のＰＳＵの待機電源の状態を判別することができる。
【００３６】
いくつかの実施形態において、電源スイッチは、１つ以上のＰＳＵから（例えば、１つ以上のＰＳＵのＭＣＵから）又はシステムの管理装置から、１つ以上のＰＳＵのステータス情報（例えば、待機電源及び／又は主電源の状態）を直接受信することができる。
【００３７】
工程２０６において、図１Ａ〜図１Ｂに示すように、電源デバイスは、１つ以上のＰＳＵの主電源が所定範囲内にあるか否かを判別する。工程２０８において、ＰＳＵの主電源が所定範囲内にない場合に、電源スイッチは、システムをシャットダウンする。いくつかの実施形態において、システムの重要性の低い（non-critical）コンポーネントを最初にシャットダウンしてシステムの電力消費を節約し、重要な（critical）コンポーネントがデータをバックアップしたり、長いシャットダウン時間を有することができる。
【００３８】
工程２１０において、１つ以上のＰＳＵの主電源が所定範囲内にある場合、電源スイッチは、図１Ａ〜図１Ｂに示すように、入力電源をＰＳＵの待機電源からＰＳＵの主電源に切り替え、システムの基本電力を出力する。
【００３９】
図２Ｂは、本発明の実施形態による、システムの１つ以上のＰＳＵの待機電源が機能していない場合に、基本電力をシステムに提供する例示的な方法２００Ｂを示す図である。例示的な方法２００Ｂは、いくつかの一般的でないアプリケーションで使用することができ、工程２１６において、システムの１つ以上のＰＳＵのステータス情報を受信することから開始する。工程２１８において、システムの電源スイッチ又は管理装置は、１つ以上のＰＳＵの待機電源が正常であるか否かを判別する。
【００４０】
工程２２０において、図１Ａ〜図１Ｂに示すように、電源スイッチは、１つ以上のＰＳＵの主電源が所定範囲内にあるか否かを判別する。ＰＳＵの主電源が所定範囲内にない場合、工程２２２において、電源スイッチは、システムがパワーオンになるのを抑制することができる。
【００４１】
工程２２４において、１つ以上のＰＳＵの主電源が所定範囲内にある場合、図１Ａ〜図１Ｂに示すように、電源スイッチは、入力電源をＰＳＵの待機電源からＰＳＵの主電源に切り替えて、システムの基本電力を出力する。
【００４２】
工程２２６において、システムは、パワーオンコマンドを受信する。工程２２８において、システムは、１つ以上のＰＳＵの主電源を直接使用するように切り替えて、起動する。
【００４３】
工程２３０において、１つ以上のＰＳＵの待機電源が正常である場合、電源スイッチ又は管理装置は、１つ以上のＰＳＵの主電源が所定範囲内にあるか否かを判別する。
【００４４】
工程２３２において、１つ以上のＰＳＵの主電源が所定範囲内にない場合、電源スイッチ又は管理装置は、システムがパワーオンになるのを抑制することができる。
【００４５】
工程２３４において、システムの主電源が所定範囲内にある場合、システムは、パワーオンコマンドを受信する。工程２３６において、システムは、１つ以上のＰＳＵの主電源を直接使用するように切り替えて、起動する。
【００４６】
（専門用語）
コンピュータネットワークは、エンドポイント（例えば、パーソナルコンピュータとワークステーション）間でデータを伝送するための通信リンク及びセグメントによって相互接続された、地理的に分散したノードの集合である。ローカルエリアネットワーク（ＬＡＮｓ）及び広域ネットワーク（ＷＡＮｓ）からオーバーレイ及びソフトウェア定義ネットワーク（例えば、仮想拡張可能ローカルエリアネットワーク（ＶＸＬＡＮｓ））まで、多くのタイプのネットワークを利用することができる。
【００４７】
ＬＡＮｓは、通常、同一の物理位置（例えば、ビルやキャンパス等）に位置する専用のプライベート通信リンクを介して、ノードを接続する。一方、ＷＡＮｓは、通常、長距離通信リンク（例えば、一般的なキャリア電話回線、光路、同期型光学ネットワーク（ＳＯＮＥＴ）、又は、同期デジタル階層（ＳＤＨ）リンク等）を介して、地理的に分散したノードを接続する。ＬＡＮｓ及びＷＡＮｓは、レイヤ２（Ｌ２）及び／又はレイヤ３（Ｌ３）ネットワークと装置とを含むことができる。
【００４８】
インターネットは、世界中の異種ネットワークを接続するＷＡＮの一例であり、各種ネットワークのノード間のグローバル通信を提供する。ノードは、通常、所定プロトコル（例えば、通信制御プロトコル／インターネットプロトコル（ＴＣＰ／ＩＰ））にしたがって、データの個別のフレーム又はパケットを交換することによって、ネットワークを介して通信する。この文脈では、プロトコルは、ノードが互いにどのように相互作用するかを定義する一組のルールを参照することができる。コンピュータネットワークは、中間ネットワークノード（例えば、ルータ）によってさらに相互接続されており、各ネットワークの有効な「サイズ」を拡張する。
【００４９】
オーバーレイネットワークは、通常、物理ネットワークインフラストラクチャ上に仮想ネットワークを生成し、階層化することを可能にする。オーバレイネットワークプロトコル（例えば、仮想拡張可能ＬＡＮ（ＶＸＬＡＮ）汎用ルーティングカプセル化（ＮＶＧＲＥ）を用いたネットワーク仮想化、ネットワーク仮想化オーバーレイ（ＮＶＯ３）、及び、ステートレストランスポートトンネリング（ＳＴＴ）等）は、ネットワークトラフィックが、論理トンネルを介して、Ｌ２及びＬ３ネットワークで実行できるようにするトラフィックカプセル化スキームを提供する。このような論理トンネルは、仮想トンネルエンドポイント（ＶＴＥＰｓ）を介して発信及び終了することができる。
【００５０】
さらに、オーバーレイネットワークは、ＶＭが通信する仮想Ｌ２及び／又はＬ３オーバーレイネットワークを含むことの可能な仮想セグメント（例えば、ＶＸＬＡＮオーバーレイネットワーク内のＶＸＬＡＮセグメント）を有することができる。仮想セグメントは、関連する仮想セグメント又はドメインを具体的に識別することができる例えばＶＸＬＡＮネットワーク識別子等の仮想ネットワーク識別子（ＶＮＩ）を介して識別することができる。
【００５１】
ネットワーク仮想化は、ハードウェア及びソフトウェアリソースを仮想ネットワーク内で組み合わせることを可能にする。例えば、ネットワーク仮想化では、複数のＶＭを、それぞれの仮想ＬＡＮｓ（ＶＬＡＮｓ）を介して物理ネットワークに接続することができるようにする。ＶＭｓは、それぞれのＶＬＡＮにしたがってグループ化することができ、内部又は外部ネットワーク上の他の装置と同様に、他のＶＭと通信することができる。
【００５２】
ネットワークセグメント（例えば、物理セグメント若しくは仮想セグメント、ネットワーク、デバイス、ポート、物理リンク若しくは論理リンク、及び／又は、トラフィック等）は、通常、ブリッジ又はフラッドドメインにグループ化される。ブリッジドメイン又はフラッドドメインは、ブロードキャストドメイン（例えば、Ｌ２ブロードキャストドメイン）を表す。ブリッジドメイン又はフラッドドメインは、単一のサブネットを有し得るが、複数のサブネットを有してもよい。さらに、ブリッジドメインは、ネットワーク装置（例えば、スイッチ）上のブリッジドメインインタフェースに関連付けることができる。ブリッジドメインインタフェースは、Ｌ２ブリッジネットワークとＬ３ルーテッドネットワークとの間のトラフィックをサポートする論理インタフェースであってもよい。また、ブリッジドメインインタフェースは、インターネットプロトコル（ＩＰ）ターミネーション、ＶＰＮターミネーション、アドレス解決処理、ＭＡＣアドレッシング等をサポートしてもよい。ブリッジドメインとブリッジドメインインターフェースは、同じインデックス又は識別子により識別される。
【００５３】
さらに、アプリケーションをネットワークにマッピングするために、エンドポイントグループ（ＥＰＧｓ）をネットワークで使用することができる。特に、ＥＰＧｓは、ネットワーク内のアプリケーションエンドポイントのグルーピングを用いて、接続性及びポリシーをアプリケーショングループに適用することができる。ＥＰＧｓは、バケットのコンテナ若しくはアプリケーションの集合、又は、アプリケーションコンポーネント、並びに、転送、及び、ポリシーロジックを実行する段（tiers）として機能することができる。また、ＥＰＧｓは、論理的なアプリケーション境界を代わりに用いて、ネットワークポリシー、セキュリティ、及び、アドレッシングからの転送の分離を可能にする。
【００５４】
クラウドコンピューティングは、共有リソースを用いてコンピューティングサービスを提供するために、１つ以上のネットワークに提供され得る。クラウドコンピューティングは、通常、コンピューティングリソースが動的にプロビジョニングされ、ネットワーク（例えば、クラウド）を介して利用可能なリソースの集合からオンデマンドでクライアントコンピュータ若しくはユーザコンピュータ又は他の装置に割り当てられるインターネットベースのコンピューティングを含むことができる。クラウドコンピューティングリソースは、例えば、コンピューティング、ストレージ、ネットワーク装置及び仮想マシン（ＶＭ）等の任意のタイプのリソースを含むことができる。例えば、リソースは、サービス装置（ファイヤウォール、ディープパケットインスペクタ、トラフィックモニタ、ロードバランサ等）、計算／処理装置（サーバ、ＣＰＵ、メモリ、ブルートフォース処理機能）、ストレージデバイス（例えば、ネットワーク接続ストレージ、ストレージエリアネットワーク装置）等を有することができる。また、かかるリソースが用いられて、仮想ネットワーク、仮想マシン（ＶＭ）、データベース、アプリケーション（Ａｐｐｓ）等をサポートすることができる。
【００５５】
クラウドコンピューティングリソースは、「プライベートクラウド」、「パブリッククラウド」及び／又は「ハイブリッドクラウド」を有することができる。「ハイブリッドクラウド」は、技術を介して相互運用（inter-operate）又は連携（federate）する２つ以上のクラウドから構成されるクラウドインフラストラクチャとすることができる。本質的に、ハイブリッドクラウドは、プライベートクラウドがパブリッククラウドに加わり、パブリッククラウドリソースを安全且つスケーラブルに利用する、プライベートクラウド及びパブリッククラウド間の相互作用である。また、クラウドコンピューティングリソースは、ＶＸＬＡＮ等のオーバーレイネットワーク内の仮想ネットワークを介して、プロビジョニングすることができる。
【００５６】
ネットワークスイッチシステムにおいて、ルックアップデータベースを維持して、スイッチシステムに接続されたいくつかのエンドポイント間のルートを追跡することができる。しかし、エンドポイントは、様々な構成を有することができ、且つ、多数のテナントに関連付けられている。これらのエンドポイントは、各種識別子（例えば、ＩＰｖ４、ＩＰｖ６又はレイヤ２（Layer-2）等）を有することができる。ルックアップデータベースは、異なるタイプのエンドポイント識別子を処理するために、異なるモードで構成される必要がある。ルックアップデータベースの容量は、着信パケットの異なるアドレスタイプを処理するように設計される。さらに、ネットワークスイッチシステム上のルックアップデータベースは、通常、１Ｋ仮想ルーティング及び転送（ＶＲＦｓ）によって制限される。これにより、各種タイプのエンドポイント識別子を処理するために、改善されたルックアップアルゴリズムが必要とされている。本発明の技術は、電気通信ネットワークにおけるアドレスルックアップに必要な技術を提供する。本発明は、エンドポイント識別子を一様な空間にマッピングし、異なる形式のルックアップを一様に処理することによって、様々なタイプのエンドポイント識別子を統合するためのシステム、方法及びコンピュータ可読記憶媒体を開示する。例示的なシステム及びネットワークの手短な前置きは、図３と図４に示されるように、本明細書に開示される。これらの変形例は各種実施形態において説明される。本技術について図３を参照する。
【００５７】
図３は、本発明を実行するのに適したコンピューティングデバイス３００の一例を示す図である。コンピューティングデバイス３００は、マスタ中央処理装置（ＣＰＵ）３６２と、インタフェース３６８と、バス３１５（例えば、ＰＣＩバス）と、を有する。ＣＰＵ３６２は、適切なソフトウェア又はファームウェアの制御下で動作する場合、パケット管理、エラー検出、及び／又は、例えば配線ミス検出機能等のルーティング機能の実行を担う。ＣＰＵ３６２は、好ましくは、オペレーティングシステム及び任意の適切なアプリケーションソフトウェアを含むソフトウェアの制御下で、これらの全ての機能を実現する。ＣＰＵ３６２は、Ｍｏｔｏｒｏｌａファミリのマイクロプロセッサ又はＭＩＰＳファミリのマイクロプロセッサ等の１つ以上のプロセッサ３６３を含むことができる。他の実施形態において、プロセッサ３６３は、コンピューティングデバイス３００の操作を制御するために特別に設計されたハードウェアである。特定の実施形態において、メモリ３６１（例えば、不揮発性ＲＡＭ及び／又はＲＯＭ）は、さらに、ＣＰＵ３６２の一部を形成する。しかし、メモリをシステムに接続し得る多くの異なる方法がある。
【００５８】
インタフェース３６８は、通常、インタフェースカード（「ラインカード」と呼ばれることもある）として提供される。一般に、それらは、ネットワークを介して、データパケットの送受信を制御し、コンピューティングデバイス３００で使用される他の周辺装置をサポートすることがある。インタフェースの中から、イーサネット（登録商標）インタフェース、フレームリレーインタフェース、ケーブルインタフェース、ＤＳＬインタフェース、トークンリングインタフェース等を使用することができる。また、各種超高速インタフェースは、高速トークンリングインタフェース、ワイヤレスインタフェース、イーサネット（登録商標）インタフェース、ギガビットイーサネット（登録商標）インタフェース、ＡＴＭインタフェース、ＨＳＳＩインタフェース、ＰＯＳインタフェース、ＦＤＤＩインタフェース等を使用することができる。一般に、これらのインタフェースは、適切な媒体と通信する適切なポートを有する。いくつかの実施形態において、インタフェースは、さらに、独立したプロセッサと、場合によっては揮発性ＲＡＭと、を有する。独立したプロセッサは、パケット交換、媒体制御及び管理等の通信集中型タスクを制御することができる。通信集中タスク型用に別個のプロセッサを提供することにより、これらのインタフェースは、マスタマイクロプロセッサ３６２が、ルーティング計算、ネットワーク診断、セキュリティ機能等を効率的に実行できるようにする。
【００５９】
図３に示されるシステムは、本発明の１つの特定コンピューティングデバイスであるが、本発明の唯一のネットワーク装置構造であることを意味するのではない。例えば、通信やルーティング計算等を処理する単一のプロセッサを有するアーキテクチャが頻繁に用いられる。さらに、別のタイプのインタフェース及び媒体も、ルータと共に使用することができる。
【００６０】
ネットワークデバイスの構成にかかわらず、本明細書に記載のローミング、ルート最適化及びルーティング機能を実行する汎用ネットワーク操作及びメカニズムのためのプログラム命令を記憶するように構成された１つ以上のメモリ又はメモリモジュール（メモリ３６１を有する）を使用することができる。プログラム命令は、オペレーティングシステム、及び／又は、１つ以上のアプリケーションの操作を制御することができる。メモリ又は複数のメモリは、モビリティバインディング、登録及び関連テーブル等のテーブルを記憶するように構成することができる。
【００６１】
図４及び図５は、本発明の実施形態による例示的なシステムを示す図である。本発明の技術を実施する場合、当業者であれば、より適切な実施形態を理解することができるであろう。当業者であれば、他のシステムの実施形態も可能であることが理解できるであろう。
【００６２】
図４は、システムバスコンピューティングシステム機構４００を示す図であり、システムのコンポーネントは、バス４０２を用いて互いに電気的に通信する。例示的なシステム４００は、処理ユニット（ＣＰＵ又はプロセッサ）４３０と、システムバス４０２と、を有する。システムバス４０２は、システムメモリ４０４（例えば、リードオンリメモリ（ＲＯＭ）４０６及びランダムアクセスメモリ（ＲＡＭ）４０８）を含む各種システムコンポーネントをプロセッサ４３０に接続する。システム４００は、高速メモリのキャッシュを有し、キャッシュは、プロセッサ４３０に直接接続され、プロセッサ４３０に隣接して接続され、又は、プロセッサ４３０の一部として統合されてもよい。システム４００は、プロセッサ４３０による高速アクセスのために、メモリ４０４及び／又はストレージデバイス４１２からキャッシュ４２８にデータをコピーしてもよい。この方法において、キャッシュは、プロセッサ４３０がデータを待つ間に遅延が生じるのを防止する性能向上を提供する。これら及び他のモジュールは、様々な動作を制御するためにプロセッサ４３０を制御するように構成される。別のシステムメモリ４０４も同様に使用可能である。メモリ４０４は、異なるパフォーマンス特性を有する複数の異なるタイプのメモリを有することができる。プロセッサ４３０は、プロセッサ４３０を制御するように構成されたストレージデバイス４１２に記憶されたモジュール１  ４１４、モジュール２  ４１６及びモジュール３  ４１８等の任意の汎用目的プロセッサ及びハードウェアモジュール又はソフトウェアモジュールを含むことができ、ソフトウェア命令は、実際のプロセッサ設計に組み込まれる。プロセッサ４３０は、実質的に、複数のコア又はプロセッサ、バス、メモリコントローラ、キャッシュ等を含む完全に独立したコンピューティングシステムであってもよい。マルチコアプロセッサは、対称又は非対称であってもよい。
【００６３】
ユーザがコンピューティングデバイス４００と相互作用できるようにするため、入力デバイス４２０は、任意の数の入力メカニズム（例えば、スピーチ用のマイクロフォン、ジェスチャ又はグラフィカル入力用のタッチスクリーン、キーボード、マウス、モーション入力等）を表すことができる。出力デバイス４２２は、従来の技術で知られる１つ以上の数の出力メカニズムである。場合によっては、マルチモーダルシステムは、ユーザが、コンピューティングデバイス４００と通信するために、複数のタイプの入力を提供できるようにする。通信インタフェース４２４は、通常、ユーザ入力及びシステム出力を支配及び管理することができる。特定のハードウェア構成における操作に制限がないため、ここでの基本的な特徴は、改良されたハードウェアやファームウェアの構成が開発されるときに容易に置き換えることができる。
【００６４】
ストレージデバイス４１２は不揮発性メモリであり、ハードディスク、又は、コンピュータがアクセス可能なデータを記憶することの可能な他のタイプのコンピュータ可読媒体（例えば、磁気カセット、フラッシュメモリカード、ソリッドステートメモリ装置、デジタル多用途ディスク、カートリッジ、ランダムアクセスメモリ（ＲＡＭ）４０８、リードオンリメモリ（ＲＯＭ）４０６及びこれらの組み合わせ等）であってもよい。
【００６５】
ストレージデバイス４１２は、プロセッサ４３０を制御するためにソフトウェアモジュール４１４，４１６，４１８を有してもよい。他のハードウェア又はソフトウェアモジュールも含まれ得る。ストレージデバイス４１２は、システムバス４０２に接続されてもよい。一実施形態において、特定の機能を実行するハードウェアモジュールは、機能を実行するために、必要なハードウェアコンポーネント（例えば、プロセッサ４３０、バス４０２、ディスプレイ４３６等）と接続するコンピュータ読み取り可能媒体に記憶されたソフトウェアコンポーネントを含むことができる。
【００６６】
コントローラ４１０は、システム４００上の特殊なマイクロコントローラ又はプロセッサ（例えば、ＢＭＣ（ベースボード管理コントローラ））であってもよい。場合によっては、コントローラ４１０は、インテリジェントプラットフォーム管理インタフェース（ＩＰＭＩ）の一部であってもよい。さらに、場合によっては、コントローラ４１０は、システム４００のマザーボード又はメイン回路基板に組み込まれてもよい。コントローラ４１０は、システム管理ソフトウェアとプラットフォームハードウェアとの間のインタフェースを管理することができる。また、コントローラ４１０は、以下に説明するように、例えばコントローラ又は周辺コンポーネント等の各種システムデバイス及びコンポーネント（内部、及び／又は、外部）と通信することができる。
【００６７】
コントローラ４１０は、通知、警告及び／又はイベントに対する特定の応答を生成し、遠隔装置又はコンポーネント（例えば、電子メールメッセージ、ネットワークメッセージ等）と通信し、自動ハードウェア障害回復工程等の指令や命令を生成する。システム管理者は、以下に更に説明するように、コントローラ４１０と遠隔通信して、特定のハードウェア障害回復工程又は操作を開始又は実行することができる。
【００６８】
システム４００上の異なるタイプのセンサ（例えば、センサ４２６）は、例えば、冷却ファン速度、電源状態、オペレーティングシステム（ＯＳ）状態、ハードウェア状態等のパラメータをコントローラ４１０に報告することができる。コントローラ４１０は、コントローラ４１０により受信されたイベント、警告、通知を管理及び記憶するシステムイベントログコントローラ及び／又はストレージを有してもよい。例えば、コントローラ４１０又はシステムイベントログコントローラは、１つ以上の装置及びコンポーネントからの警告や通知を受信し、当該警告や通知をシステムイベントログストレージコンポーネント内に維持することができる。
【００６９】
フラッシュメモリ４３２は、ストレージ及び／又はデータ転送に用いられるシステム４００によって使用される電子不揮発性コンピュータストレージ媒体又はチップであってもよい。フラッシュメモリ４３２は、電気的に消去及び／又は再プログラムされ得る。フラッシュメモリ４３２は、例えば、消去可能なプログラマブルＲＯＭ（ＥＰＲＯＭ）、電気的に消去可能なプログラマブルＲＯＭ（ＥＥＰＲＯＭ）、ＲＯＭ、ＮＶＲＡＭ、又は、相補型ＭＯＳ（ＣＭＯＳ）を有する。フラッシュメモリ４３２は、システム４００が起動するときに、システム４００により実行されるファームウェア４３４を、ファームウェア４３４に対して指定されたセットとともに記憶することができる。さらに、フラッシュメモリ４３２は、ファームウェア４３４により用いられる構成を記憶することができる。
【００７０】
ファームウェア４３４は、基本入力／出力システム（ＢＩＯＳ）又はその後継品、等価物（例えば、エクステンシブルファームウェアインタフェース（ＥＦＩ）又はユニファイドエクステンシブルファームウェアインタフェース（ＵＥＦＩ））を有する。システム４００が起動される毎に、ファームウェア４３４は、シーケンスプログラムとしてロードされ、実行される。ファームウェア１３４は、構成のセットに基づいて、システム４００に存在するハードウェアを識別、初期化、テストする。ファームウェア４３４は、システム４００上でのセルフテスト（例えば、パワーオンセルフテスト（ＰＯＳＴ））を実行する。このセルフテストは、各種ハードウェアコンポーネント（例えば、ハードディスクドライブ、光学読み取り装置、冷却装置、メモリモジュール、拡張カード等）の機能性をテストする。ファームウェア４３４は、オペレーティングシステム（ＯＳ）を記憶するために、メモリ４０４、ＲＯＭ４０６、ＲＡＭ４０８及び／又はストレージデバイス４１２内の領域をアドレス及び割り当てることができる。ファームウェア４３４は、ブートローダ及び／又はＯＳをロードし、システム４００の制御をＯＳに与えることができる。
【００７１】
システム４００のファームウェア４３４は、ファームウェア４３４がシステム４００内の各種ハードウェアコンポーネントをどのように制御するかを定義するファームウェア構成を有することができる。ファームウェア構成は、システム４００内の各種ハードウェアコンポーネントが起動される順序を判断する。ファームウェア４３４は、各種異なるパラメータの設定を許可するインタフェース（例えば、ＵＥＦＩ）を提供することができ、このパラメータは、ファームウェアのデフォルト設定のパラメータとは異なる。例えば、ユーザ（例えば、システム管理者）は、ファームウェア４３４を用いて、クロック及びバス速度を指定し、どの周辺機器をシステム４００に取り付けるか指定し、監視の状態（例えば、ファン速度及びＣＰＵ温度制限）を指定し、システム４００のパフォーマンス全体及び電力使用量に影響する多種の他のパラメータを指定する。
【００７２】
ファームウェア４３４は、フラッシュメモリ４３２に記憶されているものとして説明されているが、当業者は、ファームウェア４３４が、他のメモリ、コンポーネント（例えば、メモリ４０４又はＲＯＭ４０６）に記憶することができるのを理解するだろう。しかし、示されたフラッシュメモリ４３２に記憶されたファームウェア４３４は説明の目的の例であり、これに限定されない。
【００７３】
システム４００は１つ以上のセンサ４２６を有する。１つ以上のセンサ４２６は、例えば、１つ以上の温度センサ、熱センサ、酸素センサ、化学センサ、ノイズセンサ、ヒートセンサ、電流センサ、電圧検出器、気流センサ、流量センサ、赤外線放射温度計、熱流束センサ、温度計、高温計等を有する。１つ以上のセンサ４２６は、例えば、バス４０２を介して、プロセッサ、キャッシュ４２８、フラッシュメモリ４３２、通信インタフェース４２４、メモリ４０４、ＲＯＭ４０６、ＲＡＭ４０８、コントローラ４１０及びストレージデバイス４１２と通信する。また、１つ以上のセンサ４２６は、１つ以上の異なる手段（例えば、集積回路（Ｉ２Ｃ）、汎用出力（ＧＰＯ）等）を介して、システム内の他のコンポーネントと通信することができる。
【００７４】
図５は、説明した方法又は操作の実行、並びに、グラフィカルユーザインターフェース（ＧＵＩ）の生成及び表示に用いることができるチップセット機構を有する例示的なコンピュータシステム５００を示す図である。コンピュータシステム５００は、本発明の技術を実行するのに用いられるコンピュータハードウェア、ソフトウェア及びファームウェアを含むことができる。システム５００は、識別された計算を実行するように構成されたソフトウェア、ファームウェア及びハードウェアを実行することができる任意の数の物理的及び／又は論理的に異なるリソースを表すプロセッサ５１０を含むことができる。プロセッサ５１０は、プロセッサ５１０への入出力を制御することができるチップセット５０２と通信する。この例において、チップセット５０２は、情報を出力デバイス５１４（例えば、ディスプレイ）に出力し、ストレージデバイス５１６（磁気媒体、固体媒体を含む）に対して情報を読み書きする。また、チップセット５０２は、ＲＡＭ５１８に対してデータをやり取りする。各種ユーザインタフェースコンポーネント５０６と相互作用するブリッジ５０４は、チップセット５０２と相互作用するために提供され得る。このようなユーザインタフェースコンポーネント５０６は、キーボード、マイクロフォン、タッチ検出及び処理回路、ポインティングデバイス（マウス等）を有する。一般に、システム５００への入力は、機器及び／又は人間が生成した各種ソースの何れかから生じる。
【００７５】
また、チップセット５０２は、異なる物理的インタフェースを有する１つ以上の通信インタフェース５０８と相互作用する。このような通信インタフェースは、有線及び無線のローカルエリアネットワーク、ブロードバンドワイヤレスネットワーク及びパーソナルエリアネットワークのためのインタフェースを有する。本発明におけるＧＵＩを生成、表示及び使用する方法のいくつかのアプリケーションは、ストレージデバイス５１６又は５１８に記憶されたデータを分析するプロセッサ５１０が、順序付けられたデータセットを、物理的インタフェースを介して又は機器自身により生成されることにより受信する工程を有する。さらに、機器は、ユーザインタフェースコンポーネント５０６を介して、ユーザからの入力を受信し、適切な機能（例えば、プロセッサ５１０を用いて、これらの入力を解釈することによりブラウズ機能を実行する）を実行する。
【００７６】
さらに、チップセット５０２は、電源が投入されると、コンピュータシステム５００によって実行され得るファームウェア５１２と通信することができる。ファームウェア５１２は、ファームウェア構成のセットに基づいて、コンピュータシステム５００内に存在するハードウェアを認識、初期化及びテストすることができる。ファームウェア５１２は、システム５００上でセルフテスト（例えば、ＰＯＳＴ）を実行する。セルフテストでは、各種ハードウェアコンポーネント５０２〜５１０の機能をテストすることができる。ファームウェア５１２は、ＯＳを記憶するために、メモリ５１８内の領域をアドレス指定及び割り当てることができる。ファームウェア５１２は、ブートローダ及び／又はＯＳをロードし、システム５００の制御をＯＳに与える。場合によっては、ファームウェア５１２は、ハードウェアコンポーネント５０２〜５１０及び５１４〜５１８と通信する。ここで、ファームウェア５１２は、チップセット５０２及び／又は１つ以上の他のコンポーネントを介して、ハードウェアコンポーネント５０２〜５１０及び５１４〜５１８と通信する。場合によっては、ファームウェア５１２は、ハードウェアコンポーネント５０２〜５１０及び５１４〜５１８と直接通信することができる。
【００７７】
例示的なシステム３００，４００，５００は、より高い処理能力を提供するために、２つ以上のプロセッサ（例えば、３６３，４３０，５１０）を有することができ、又は、ネットワーク接続されたコンピューティングデバイスのグループ又はクラスタの一部であり得ることが理解されるであろう。
【００７８】
説明をわかりやすくするために、ある実施形態において、装置、デバイスコンポーネント、ソフトウェアで実施される方法における工程やルーティン、又は、ハードウェアとソフトウェアの組み合わせを含む個々の機能ブロックを有するものとして提示することができる。
【００７９】
いくつかの実施形態において、コンピュータ可読ストレージデバイス、媒体及びメモリは、ビットストリーム等を含むケーブル又は無線信号を有する。しかし、言及されるとき、非一時的なコンピュータ可読記憶媒体は、エネルギー、キャリア信号、電磁波及び信号そのもの等の媒体を明確に排除する。
【００８０】
上記の例における方法は、コンピュータ可読媒体に記憶されるか利用可能なコンピュータ実行可能命令を用いて実施される。このような命令は、例えば特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（アセンブリ言語）、ファームウェア又はソースコードである。命令、使用した情報、及び／又は、説明した例による方法において生成された情報を記憶するために用いることができるコンピュータ可読媒体の例は、磁気又は光学ディスク、フラッシュメモリ、不揮発性メモリを備えるＵＳＢデバイス、ネットワークストレージデバイス等を含む。
【００８１】
これらの開示における方法を実施する装置は、ハードウェア、ファームウェア及び／又はソフトウェアを有し、各種フォームファクタの何れかを利用する。このようなフォームファクタの一般的な例は、ラップトップ、スマートフォン、スモールフォームファクタパーソナルコンピュータ、ＰＤＡ、ラックマウント型装置、スタンドアロン装置等を有する。ここで説明される機能は、周辺装置又はアドインカードにも実装することができる。さらなる例として、このような機能は、単一の装置で実行される異なるチップ間又は異なるプロセス間の回路基板上で実行することができる。
【００８２】
命令、かかる命令を伝達する媒体、それらを実行するコンピューティングリソース、及び、かかるコンピューティングリソースをサポートする他の構造は、本明細書に記載の機能を提供する手段である。
【００８３】
本発明の各種実施形態は、システムの電源ユニット（ＰＳＵ）の待機電源が機能しない場合に、基本電力をシステムに供給するシステム及び方法を提供する。特定の実施形態では、任意の操作を異なる命令でどのように実現するかを示しているが、他の実施形態では、任意の操作を異なる命令に組み込むことができる。説明を明瞭にするために、本発明のいくつかの実施形態において、デバイス、デバイスコンポーネント、ソフトウェア、又は、ハードウェアとソフトウェアの組み合わせで実現される方法における工程若しくはルーティンを有する機能ブロックを含むものとして示される。
【００８４】
各種実施形態は、場合によっては、いくつかのアプリケーションの何れかを動作させるために用いられる１つ以上のサーバコンピュータ、ユーザコンピュータ又はコンピューティングデバイスを有する多種多様な動作環境で実行することができる。ユーザ又はクライアントデバイスは、標準のオペレーティングシステムを実行するデスクトップ又はラップトップコンピュータ等の多数の汎用パーソナルコンピュータ、並びに、モバイルソフトウェアを実行し、いくつかのネットワーク及びメッセージプロトコルをサポートすることができるセルラー、ワイヤレス及びハンドヘルド装置を含むことができる。このようなシステムは、さらに、開発及びデータベース管理等の目的のために様々な市販のオペレーティングシステム及び他の既知のアプリケーションを実行するいくつかのワークステーションを有する。これらの装置は、他の電子装置（例えば、ダミー端末、シンクライアント、ゲームシステム、及び、ネットワークを介して通信可能な他の装置等）を有する。
【００８５】
本発明のいくつかの実施態様又はその一部がハードウェアで実現される限り、本発明は、以下の技術の何れか又は組み合わせにより実現される。例えば、データ信号に基づきロジック機能を実行するロジックゲートを有する離散ロジック回路、適切な組み合わせのロジックゲートを有する特定用途向け集積回路（ＡＳＩＣ）、プログラマブルゲートアレイ（ＰＧＡ）等のプログラマブルハードウェア、フィールドプログラマブルゲートアレイ（ＦＰＧＡ）等が含まれる。
【００８６】
ほとんどの実施形態は、例えばＴＣＰ／ＩＰ、ＯＳＩ、ＦＴＰ、ＵＰｎＰ、ＮＦＳ、ＣＩＦＳ、ＡｐｐｌｅＴａｌｋ（登録商標）等の商用のプロトコルの何れかを用いて通信をサポートするために、当業者によく知られている少なくとも１つのネットワークを使用する。ネットワークは、例えば、ローカルエリアネットワーク、広域ネットワーク、仮想プライベートネットワーク、インターネット、イントラネット、エクストラネット、公衆交換電話網、赤外線ネットワーク、無線ネットワーク、及び、これらの任意の組み合わせである。
【００８７】
上記の例における方法は、コンピュータ可読媒体に記憶されるか利用可能なコンピュータ実行可能命令を用いて実施される。このような命令は、例えば、特定の機能又は機能グループを実行する汎用コンピュータ、専用コンピュータ又は特殊用途処理装置をもたらすか構成する命令及びデータを含むことができる。用いられるコンピュータリソースの一部は、ネットワークを介してアクセス可能である。コンピュータ実行可能命令は、例えば、バイナリ、中間フォーマット命令（例えば、アセンブリ言語）、ファームウェア又はソースコードである。命令、使用した情報、及び／又は、説明した例による方法において生成された情報を記憶するために用いることができるコンピュータ可読媒体の例は、磁気又は光学ディスク、フラッシュメモリ、不揮発性メモリを備えるＵＳＢデバイス、ネットワークストレージデバイス等を含む。
【００８８】
これらの開示における方法を実施する装置は、ハードウェア、ファームウェア及び／又はソフトウェアを有し、各種フォームファクタの何れかを利用する。このようなフォームファクタの一般的な例は、サーバコンピュータ、ラップトップ、スマートフォン、スモールフォームファクタパーソナルコンピュータ、ＰＤＡ等を有する。ここで説明される機能は、周辺装置又はアドインカードにも実装することができる。さらなる例として、このような機能は、単一の装置で実行される異なるチップ間又は異なるプロセス間の回路基板上で実行することができる。
【００８９】
ウェブサーバを用いた実施形態において、ウェブサーバは、ＨＴＴＰサーバ、ＦＴＰサーバ、ＣＧＩサーバ、データサーバ、Ｊａｖａ（登録商標）サーバ、及び、ビジネスアプリケーションサーバを有する任意の種類のサーバ又は中間層アプリケーションを実行することができる。サーバは、ユーザ装置からの要求に応じて、例えば、任意のプログラミング言語（例えば、Ｊａｖａ（登録商標）、Ｃ、Ｃ＃、Ｃ＋＋）、任意のスクリプト言語（例えば、Ｐｅｒｌ、Ｐｙｔｈｏｎ、ＴＣＬ）、及びこれらの組み合わせで書き込まれる１つ以上のスクリプト又はプログラムとして実行される１つ以上のウェブアプリケーションを実行すること等により、プログラムやスクリプトを実行することができる。サーバは、公開市場で市販されているものを含むがこれに限定されないデータベースサーバを含むことができる。
【００９０】
サーバシステムは、前述の様々なデータ記憶、他のメモリ、及び、ストレージ媒体を有する。これらは、例えば、ストレージ媒体が１つ以上のコンピュータにローカル接続され（及び／又は存在する）、又は、ネットワークにより、任意の若しくは全てのコンピュータから遠隔で連結される等のように、様々な場所に存在し得る。一組の特定の実施形態において、情報は、当業者によく知られているストレージエリアネットワーク（ＳＡＮ）中に存在することができる。同様に、コンピュータ、サーバ又は他のネットワーク装置に起因する機能を実行するのに必要とされる任意のファイルは、必要に応じてローカル及び／又はリモートに記憶することができる。システムがコンピュータ化された装置を含む場合、このような装置は、バスを介して電気的に接続されるハードウェアコンポーネントを有し、コンポーネントは、例えば、少なくとも１つの中央処理ユニット（ＣＰＵ）と、少なくとも１つの入力デバイス（例えば、マウス、キーボード、コントローラー、タッチセンサディスプレイコンポーネント、又は、キーパッド）と、少なくとも１つの出力デバイス（例えば、ディスプレイ装置、プリンタ、又は、スピーカ）と、を有する。このようなシステムは、さらに、１つ以上のストレージデバイス（例えば、ディスクドライブ、光学ストレージデバイス、及び、ソリッドステートストレージデバイス（例えば、ランダムアクセスメモリ（ＲＡＭ）又はリードオンリメモリ（ＲＯＭ））、及び、除去可能な媒体装置、メモリカード、フラッシュカード等）を有する。
【００９１】
このような装置は、さらに、上述したように、コンピュータ可読記憶媒体読み取り機、通信装置（例えば、モデム、ネットワークカード（有線又は無線）、赤外線コンピューティングデバイス）、及び、ワーキングメモリを有する。コンピュータ可読記憶媒体読み取り機は、コンピュータ可読記憶媒体に接続され、又は、コンピュータ可読記憶媒体を受け入れる。コンピュータ可読記憶媒体は、リモート、ローカル、固定、及び／又は、取り外し可能なストレージデバイスを表してもよく、一時的及び／又は永久的に、コンピュータ可読情報を含有、記憶、送信及び回収するストレージ媒体を表してもよい。システム及び各種デバイスは、一般に、少なくとも１つのワーキングメモリ装置に配置された複数のソフトウェアアプリケーション、モジュール、サービス、又は、他の素子を有し、当該他の素子は、オペレーティングシステム及びアプリケーションプログラム（例えば、クライアントアプリケーション又はウェブブラウザ）を有する。前述した例に基づいて、様々な変形例を有することができることを理解されたい。例えば、カスタマイズされたハードウェアを使用することもでき、及び／又は、特定の素子をハードウェア／ソフトウェア（ポータブルソフトウェア（例えば、アプレット）を含む）若しくはこれらの両方で実施することができる。さらに、その他のコンピューティングデバイス（例えば、ネットワーク入／出力装置）への接続も使用される。
【００９２】
コード又はコードの一部を含むストレージ媒体及びコンピュータ可読媒体は、従来技術で用いられる任意の適切な媒体（例えば、ストレージ媒体及びコンピューティング媒体）を含む。この媒体は、揮発性及び不揮発性、取り外し可能、並びに、非取り外し可能媒体に限定されず、任意の方法や技術で実現され、情報（例えば、コンピュータ可読命令、データ構造、プログラムモジュール又は他のデータ）を記憶及び／又は送信する。この媒体は、ＲＡＭ、ＲＯＭ、ＥＰＲＯＭ、ＥＥＰＲＯＭ、フラッシュメモリ、他のメモリ技術、ＣＤ-ＲＯＭ、デジタル多用途ディスク（ＤＶＤ）、他の光学ストレージ、磁気カセット、磁気テープ、磁気ディスクストレージ、他の磁気ストレージデバイス、又は、他の任意の媒体を含み、必要な情報を記憶するのに用いられたり、システムデバイスによりアクセスされる。本明細書で提供される技術及び教示に基づいて、当業者であれば、本発明の各種態様を実施する他のやり方及び／又は方法を理解するであろう。
【００９３】
明細書及び図面は、限定的ではなく例示的なものとみなされるべきである。しかしながら、特許請求の範囲に記載された発明のより広い趣旨及び範囲から逸脱することなく、様々な修正及び変更を行うことができることは明らかであろう。
【符号の説明】
【００９４】
１００Ａ…サーバシステム
１００Ｂ…システム
１０１…ネットワーク
１０２…電源
１０３…ＰＳＵ
１０３−１…管理コントロールユニット(ＭＣＵ)
１０３−２…待機電源
１０３−３…主電源
１０４…管理装置
１０５…プロセッサ
１０６…キャッシュ
１０７…スイッチ
１０８…電源スイッチ
１１０…ＮＢロジック
１１１…ＰＣＩバス
１１２…ＳＢロジック
１１３…ストレージデバイス
１１４…メインメモリ
１１５…冷却コンポーネント
１５０…ＩＳＡスロット
１５１…ＩＳＡスロット
１６０…ＰＣＩｅスロット
１６１…ＰＣＩｅスロット
１７０…ＰＣＩスロット
１７１…ＰＣＩスロット
２００Ａ…例示的な方法
２０２〜２１０…工程
２００Ｂ…例示的な方法
２１６〜２３６…工程
３００…コンピューティングデバイス
３１５…バス
３６１…メモリ
３６２…ＣＰＵ
３６３…プロセッサ
３６８…インタフェース
４００…システム
４０２…バス
４０４…メモリ
４０６…ＲＯＭ
４０８…ＲＡＭ
４１０…コントローラ
４１２…ストレージデバイス
４１４…モジュール１
４１６…モジュール２
４１８…モジュール３
４２０…入力デバイス
４２２…出力デバイス
４２４…通信インタフェース
４２６…センサ
４２８…キャッシュ
４３０…プロセッサ
４３２…フラッシュメモリ
４３４…ファームウェア
４３６…ディスプレイ
５００…コンピュータシステム
５０２…チップセット
５０４…ブリッジ
５０６…ユーザインタフェースコンポーネント
５０８…通信インタフェース
５１０…プロセッサ
５１２…ファームウェア
５１４…出力デバイス
５１６…ストレージデバイス
５１８…ＲＡＭ
【図１Ａ】
2018206342.tif 000003
【図１Ｂ】
2018206342.tif 000004
【図２Ａ】
2018206342.tif 000005
【図２Ｂ】
2018206342.tif 000006
【図３】
2018206342.tif 000007
【図４】
2018206342.tif 000008
【図５】
2018206342.tif 000009